(57)【特許請求の範囲】
【請求項１】
折り畳み予定線を介して複数の単位紙片が連接されたくじ用紙と、前記くじ用紙の表側及び／又は裏側の連続する２面に形成された剥離可能であり再接着困難な接着剤層と、前記くじ用紙が折り畳み予定線から折り畳まれた際に重合される一方の面に表示されたくじ情報と、前記くじ用紙の一部に形成された剥離不能な強接着層と、前記くじ用紙に形成された前記強接着層の境界に設けられ、その強接着層が形成された前記くじ用紙の一部を分離する切り離し予定線と、を備え、前記くじ用紙が前記折り畳み予定線から折り畳まれ、前記接着剤層及び前記強接着層により接着され、前記くじ情報が表示された単位紙片面と重合する単位紙片に、前記くじ情報の表示領域を横方向に対して見開くための見開用切り込みとして、前記くじ情報の表示領域を挟んで上側の位置と下側の位置とに、くの字状の多数の切り込みを数ミリ間隔毎に平行させて形成してなり、前記見開用切り込みが、前記切り離し予定線と前記折り畳み予定線の間に形成されていることを特徴とするくじ類。
【発明の詳細な説明】
【０００１】
【発明の属する技術分野】
本発明は、当たり、ハズレ等を決めるくじ類に関し、その場で開封し表示された抽選結果を見ることが可能なスピードくじや抽選券等の所謂くじ類に関する。
【０００２】
【従来の技術】
従来から、当たり、ハズレ等の抽選結果をあらかじめ表示したくじ用紙を、一旦抽選結果が外部から見えない状態に加工することで作成された、例えばスピードくじや抽選券等の所謂くじ類が使用されている。
これらのくじ類は、一般的に抽選参加者が多数のくじ類が入った抽選箱から自由にくじ類を取り出し、その場でくじ類を開封して表示された抽選結果を見ることで、種々の特典、景品、サービスを受けることができるため、各種のキャンペーン等に簡単に利用することができる抽選手段として広く用いられている。
【０００３】
しかしながら、近年、例えば日本中に多数の店舗を有する販売網を備えた外食産業が出現するに至ったこともあり、これらのくじ類を用いたキャンペーンを行うにも、短期間に大量のくじ類をできるだけ低コストで作製しなければ対応できない状況が出てきた。
しかも、これらの抽選に参加するのは、子供から老人まで誰でもが参加する可能性があるため、くじ類の開封に際して、間違えて表示された抽選結果の部分を破くなどして、抽選結果がわからなくなるということが生じる危険性もあり、このような事故ができるだけ起こらないように十分な配慮を施す必要がある。
【０００４】
【発明が解決しようとする課題】
本発明の課題は、大量のくじ類をできるだけ低コストで作製でき、しかも、これらの抽選に参加した誰でもが、くじ類の開封に際してできるだけ正しい状態で間違えなく開封することができ、表示された抽選結果の部分を誤って破いて抽選結果がわからなくなる等の事故を防止することができるくじ類を提供する。
【０００５】
【課題を解決するための手段】
本発明のくじ類は、折り畳み予定線を介して複数の単位紙片が連接されたくじ用紙と、前記くじ用紙の表側及び／又は裏側の連続する２面に形成された剥離可能であり再接着困難な接着剤層と、前記くじ用紙が折り畳み予定線から折り畳まれた際に重合される一方の面に表示されたくじ情報と、前記くじ用紙の一部に形成された剥離不能な強接着層と、前記くじ用紙に形成された前記強接着層の境界に設けられ、その強接着層が形成された前記くじ用紙の一部を分離する切り離し予定線と、を備え、前記くじ用紙が前記折り畳み予定線から折り畳まれ、前記接着剤層及び前記強接着層により接着され、前記くじ情報が表示された単位紙片面と重合する単位紙片に、前記くじ情報の表示領域を横方向に対して見開くための見開用切り込みとして、前記くじ情報の表示領域を挟んで上側の位置と下側の位置とに、くの字状の多数の切り込みを数ミリ間隔毎に平行させて形成してなり、前記見開用切り込みが、前記切り離し予定線と前記折り畳み予定線の間に形成されていることを特徴とする。
【０００７】
【発明の実施の形態】
以下、本発明の実施の形態を図面に基づいて詳細に説明する。図１は、本発明に用いるくじ用紙の第１実施形態の平面図、図２は、図１のＡ−Ａ線断面図、図３は、本発明に係るくじ類の第１実施形態の断面図、図４は、図３に示したくじ類を切り離し予定線から切り離した状態を示す断面図、図５は、本発明に係る第１実施形態のくじ類を開封した状態を示す断面図、図６は、本発明に係る第１実施形態のくじ類を開封した状態を示す斜視図、図７は、本発明に用いるくじ用紙の第２実施形態の平面図、図８は、図７のＢ−Ｂ線断面図、図９は、本発明に係るくじ類の第２実施形態の斜視図、図１０は、本発明に係る第２実施形態のくじ類を開封した状態を示す斜視図である。
【０００８】
まず、本発明に係る第１実施形態のくじ類について、図１乃至図６に基づいて説明する。
図１に示すように、くじ用紙１は、略同じ幅の２つの単位紙片１ａ，１ｂが折り畳み予定線２を介して横方向に連接されている。
そして、くじ用紙１が折り畳み予定線２から折り畳まれる側の面、例えばそれを表面側とすると、くじ用紙１の表面側には、剥離可能であり再接着困難な接着剤層３が形成されていて、くじ用紙１を折り畳み予定線２から折り畳み、２つの単位紙片１ａ，１ｂどうしを重ね合わせて各単位紙片１ａ，１ｂ上に形成された剥離可能であり再接着困難な接着剤層３どうしで接着させた場合でも、２つの単位紙片１ａ，１ｂを接着面から分離できるように構成されている。
【０００９】
単位紙片１ａにおける折り畳み予定線２と対向する側の辺縁部には、接着後に簡単には剥離することができない剥離不能な強接着層４が形成されている。
剥離不能な強接着層４は、折り畳み予定線２からくじ用紙１を折り畳み単位紙片１ｂの辺縁部と接着させた場合には、再度剥離することができない状態にするために設けたものである。
また、接着強度を強めるために、くじ用紙１を折り畳んだ際に単位紙片１ａに形成した強接着層４と重なる位置に対向する単位紙片１ｂの辺縁部にも、同様な剥離不能な強接着層を形成するようにしてもよい。
【００１０】
くじ用紙１の基材としては、通常は白紙の上質紙が用いられるが、それ以外にも、コート紙，再生紙，合成紙が使用でき、さらに、コロナ処理やマット処理などにより表面を筆記可能にざらざらにしておけば、ポリエチレンテレフタレート，ポリエチレン，ポリプロピレン，塩化ビニル等の合成樹脂フィルム等も使用することもできる。
【００１１】
また、上記の剥離可能であり再接着困難な接着剤層３を形成する感圧性接着剤としては、接着面の密着性及び剥離性を容易にするように調整されており、例えば以下に説明する粘着主剤、粘着力調整剤、添加物等の割合で混合されている感圧性接着剤を用いることができる。
▲１▼粘着主剤        １００重量部
▲２▼粘着力調整剤
針状物質の場合        １０〜１００（好ましくは１０〜５０）重量部
微粒状物質の場合      １〜５０（好ましくは５〜３０）重量部
上記両物質を混合した場合  １０〜１００重量部
▲３▼添加物
ワックス        ０．０１〜２０重量部
紫外線吸収剤    微量
消泡剤          微量
消泡助剤        微量
▲４▼エマルジョン化成分
水              １００〜５００（好ましくは２００〜３００）重量部
乳化剤          ０．５〜２重量部
樹脂            １〜５０重量部
【００１２】
上記において粘着主剤は、天然ゴム、エステル化天然ゴム、スチレンブタジエンゴム、クロロプレンゴム、ポリ酢酸ビニル、ポリメチルメタクリレ−ト等が挙げられ、または、これらの混合物が挙げられる。
これらの混合にあたっては、その混合割合を適宜調整することによって、感圧接着剤層同士の自着性を保持しつつ、基材との密着性を自着性より大きくすることができる。
好ましくは、加圧によって感圧接着剤層同士の自着性を発現する性質の高い天然ゴムに、基材との密着性、すなわちアンカ−効果を高める目的でポリメチルメタクリレ−トやスチレンブタジエンゴムを添加したものが挙げられる。ポリメチルメタクリレ−トは単独で用いるより他の粘着主剤と混合して用いるとよい。このような粘着主剤は、通常粒径０．１μｍ〜３μｍ程度の微粒状のものが使用される。
【００１３】
上記において粘着力調整剤は、粘着主剤の粘着力を調整するために混合され、針状物質若しくは微粒状物質又はこれらの混合物が用いられる。針状物質としては、例えば無機物質、有機物質のいずれでもよく、その形状が略針状であればよく、偏平状、鱗片状等のような形態を持つものから任意に選択されるが、針状物質が特に好適である。針状物質としては、平均長さは１０μｍ〜２０μｍ、また平均径としては０．２μｍ〜０．５μｍ程度のものが好ましい。針状物質は感圧粘着剤をエマルジョンとし、塗布剤とした時の沈降性を低くするために見掛け比重が０．０５〜０．６のものが好ましい。また、このような針状物質としては、例えばガラス繊維、炭素繊維、金属結晶、金属化合物等が挙げられ、粘着主剤とは親和性（相溶性）を有しないものであればよい。
【００１４】
上記において微粒状物質は、マイクロシリカ、合成ゼオライト、活性アルミナゲル、炭酸カルシウム、酸化亜鉛、酸化チタン、タルク、クレ−、タオリン、活性白土、アクリルビ−ズ、澱粉、セルロ−ス、シラスバル−ン等が挙げられ、その粒径は１０μｍ〜３０μｍ、好ましくは０．５μｍ〜１０μｍの範囲にあるのが好適である。
また、針状物質と共に添加することにより、微粒状物質の添加量を少なくすることができると共に微粒状物質の粉落ちを防止することができる。
【００１５】
上記において添加物として、ハンドリング性、ノンインパクトプリンタの搬送性能等の滑り性向上又は耐ブロッキング性向上のために、ポリエチレンワックス、カルナウバワックス等のワックス類、劣化防止のために、アンモニア、エタノ−ルアミン等の紫外線吸収剤などを添加してもよい。
また、消泡剤として、非イオン系界面活性剤、アニオン系界面活性剤（鉱物油系）を添加したり、さらに、消泡助剤として、シリカなどを添加してもよい。
【００１６】
上記においてエマルジョン化成分として、上記した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチンなどを使用できる。
また、エマルジョン化したときの粘着主剤の２次凝集防止のために、粘着主剤とは新和性を有しない樹脂を添加することができる。この樹脂としては、水分散性高分子ポリエステル、熱可塑性エラストマ−、また低密度ポリエチレン、アイオノマ−、酢酸ビニル−オレフィン共重合体等が好適に使用できる。
【００１７】
このような感圧接着剤の基材面上への塗布方法としては、フレキソコーター、グラビアコーター、ロールコーター、バーコーター等の一般的なコーティング方法を用いることができる。
【００１８】
また、上記の剥離不能な強接着層４に用いる感圧接着剤としては、天然ゴムないしは合成ゴムを主成分とするラテックス、天然ゴムとメタクリル酸メチルをグラフト共重合した天然ゴムラテックス、クロロプレンゴムに粘着付与剤を添加したクロロプレンゴムラテックス等が好適に使用できる。
【００１９】
そして、くじ用紙１の単位紙片１ａに形成された前記強接着層４の境界には、くじ用紙１の一部を分離する切り離し予定線５ａが備えられ、また折り畳み予定線２からくじ用紙１を折り畳んだ際に、切り離し予定線５ａと重なる位置に対向する単位紙片１ｂにも、くじ用紙１の一部を分離する切り離し予定線５ｂが設けられている。
この各切り離し予定線５ａ，５ｂは、例えばミシン目又はマイクロミシン目からなるものが好ましく、くじ類を開封する際に、剥離不能な強接着層４により強接着されたくじ用紙１の一部を、切り離し予定線５ａ，５ｂから切り離し分離した後、剥離可能であり再接着困難な接着剤層３で接着された単位紙片１ａと単位紙片１ｂの間から、剥離することができるようにしてある。
【００２０】
単位紙片１ａの表面には、図１に示すように、例えば、当たり、ハズレや、１等、２等などの表示や、景品名等の種々のくじ情報の内から任意に選択されたくじ情報６が表示されている。このくじ情報を表示する際に、あらかじめ当たり確率を設定したコンピュータにより、プリンターで各くじ用紙に当たり又はハズレの印字を出力表示すれば、大量のくじ類作製を行う場合にも対応できる。また、複数のくじ用紙１を切り取りミシン目を介して縦方向に連続状態に形成した連続フォームとしてもよく、この場合には、特にプリンターにより短時間に大量のくじ情報の印字を行うことができるので比較的に処理効率がよい。
【００２１】
また、くじ情報６が表示された単位紙片１ａの表面と重合する単位紙片１ｂの表面には、不透明印刷膜７が形成されている。
この単位紙片１ｂの表面に形成された不透明印刷膜７により、単位紙片１ａの表面に表示されたくじ情報をくじ用紙１を透かして盗み見みようとしても、くじ情報が隠蔽されて不正を防止できる。
尚、不透明印刷膜７の代わりに地紋を単位紙片１ｂの表面に表示することで、単位紙片１ａの表面に表示されたくじ情報をカムフラージュして、くじ用紙１を透かして盗み見る不正を防止するようにしてもよい。
【００２２】
また、単位紙片１ｂの不透明印刷膜７が形成された上側及び下側には、単位紙片１ａの表面に表示されたくじ情報の表示領域を見開くための見開用切り込み８，９が、切り離し予定線５ｂから折り畳み予定線２の間に形成されている。
この見開用切り込み８，９は、図１に示すように、多数の切り込みを数ミリ間隔毎に形成してもよいし、直線状の切り込み等種々の形状の切り込みを形成することができる。
【００２３】
そして、本発明のくじ類１０は、図３に示すように、上記くじ用紙１において折り畳み予定線２からくじ用紙１が折り畳まれ、接着剤層３及び前記強接着層４とにより接着され構成されている。
従って、折り畳まれたくじ用紙１の切り離し予定線５ａ，５ｂからくじ用紙１の端部までの部分が、重合された単位紙片１ａ，１ｂの間で剥離不能な強接着層４により強接着され、また単位紙片１ｂの不透明印刷膜７が形成された領域を除く他の領域において、剥離可能であり再接着困難な接着剤層３により重合された単位紙片１ａ，１ｂの間で一旦接着後に剥離することができる状態になっている。
【００２４】
次に、本発明のくじ類１０を開封し、くじ類の結果を見る場合について説明する。
通常、これらのくじ類は、多数のくじ類を入れた抽選箱等から自由にくじ類を選んで取り出すことで抽選を行う場合が多い。
そして、選び出したくじ類１０の結果を見る場合に、まず図４に示すように、くじ用紙１の切り離し予定線５ａ，５ｂから剥離不能な強接着層４で強接着された部分を切り離し、次に単位紙片１ａの端部と見開用切り込み８，９の間の単位紙片１ｂの端部とを摘まんで、各々の紙片を引き離すことにより、見開用切り込み８，９が切れて図５，図６に示すように単位紙片１ｂの中間部が単位紙片１ａから剥離され、単位紙片１ａに表示されたくじ情報６を見ることができるものである。
【００２５】
次に、本発明に係る第２実施形態のくじ類について、図７乃至図１０に基づいて説明する。
第２実施形態のくじ類は、くじ用紙をＺ字状に３つ折りして接着状態とするものであり、このくじ用紙１１は、図７に示すように、略同じ幅の３つの単位紙片１１ｃ，１１ｄ，１１ｅが折り畳み予定線１２，１３を介して横方向に連接されている。
そして、くじ用紙１１が折り畳み予定線１２から折り畳まれる側の面、つまり単位紙片１１ｃ，１１ｄの裏面側に接着剤層１５が形成され、また折り畳み予定線１３から折り畳まれる側の面、つまり単位紙片１１ｄ，１１ｅの表面側に、剥離可能であり再接着困難な接着剤層１４が形成されている。
なお、接着剤層１５は、剥離不能な接着剤層を用いてもよいし、また剥離可能であり再接着困難な接着剤層を用いてもよく、必要の応じて任意に選択すればよい。
【００２６】
また、各々の単位紙片１１ｄ，１１ｅにおける折り畳み予定線１３と対向する側の辺縁部には、接着後に簡単には剥離することができない剥離不能な強接着層２４，２５が各々形成されている。
各々の単位紙片１１ｄ，１１ｅに形成された各強接着層２４，２５の境界には、くじ用紙１１の一部を分離する切り離し予定線１６，１７が設けられ、また折り畳み予定線１２，１３からくじ用紙１１を折り畳んだ際に、切り離し予定線１２，１３と重なる位置に対向する単位紙片１１ｃにも、くじ用紙１１の一部を分離する切り離し予定線１８が設けられている。
この各切り離し予定線１６，１７，１８は、例えばミシン目又はマイクロミシン目からなるものが好ましく、くじ類を開封する際に、剥離不能な強接着層２４，２５により強接着されたくじ用紙１１の一部を、切り離し予定線１６，１７，１８から簡単に切り離し分離することができるようにしてある。
【００２７】
単位紙片１１ｂの表面には、図７に示すように、くじ情報２２が表示され、また単位紙片１１ｃの表面には、そのくじ類のくじ名２３が表示されている。
また、くじ情報２２が表示された単位紙片１１ｄの表面と重合する単位紙片１１ｅの表面には、不透明印刷膜１９が形成されている。
尚、不透明印刷膜１９の代わりに地紋を単位紙片１１ｅの表面に表示することで、単位紙片１１ｄの表面に表示されたくじ情報をカムフラージュして、くじ用紙１１を透かして盗み見る不正を防止するようにしてもよい。
【００２８】
また、単位紙片１１ｅの不透明印刷膜１９が形成された上側及び下側には、単位紙片１１ｄの表面に表示されたくじ情報の表示領域を見開くための見開用切り込み２０，２１が、切り離し予定線１７から折り畳み予定線１３の間に形成されている。
そして、本発明の第２実施形態のくじ類２６は、図９に示すように、上記くじ用紙１１において折り畳み予定線１２，１３からくじ用紙１１がＺ字状に３つ折りされ、接着剤層１４，１５及び前記強接着層２４，２５とにより接着され構成されている。
【００２９】
次に、本発明の第２実施形態のくじ類２６を開封し、くじ類の結果を見る場合について説明する。
まず図１０に示すように、くじ用紙１１の切り離し予定線１６，１７，１８から剥離不能な強接着層２４，２５で強接着された部分を切り離し、次に単位紙片１１ｄの端部と見開用切り込み２０，２１の間の単位紙片１１ｅの端部とを摘まんで、各々の紙片を引き離すことにより、見開用切り込み２０，２１が切れて図１０に示すように単位紙片１１ｅの中間部が単位紙片１１ｄから剥離され、単位紙片１１ｄに表示されたくじ情報２２を見ることができるものである。
【００３０】
尚、本発明のくじ類は、上記各実施形態で説明した２つ折り又は３つ折り用のくじ用紙に限定されることなく、複数の折り畳みにより構成されるくじ用紙により構成することができるものである。
【００３１】
【発明の効果】
以上説明したように、本発明のくじ類は、大量のくじ類をできるだけ低コストで作製でき、しかも、くじ類の開封に際して正しい状態で間違えなく開封することができるので表示された抽選結果の部分を誤って破く危険性が少なくてすむ。
特に、切り離し予定線をミシン目又はマイクロミシン目とすることにより、指で簡単にしかも正確に切り取りを行うことができる。
【００３２】
また、くじ情報が表示された単位紙片面と重合する単位紙片面に、不透明印刷膜又は地紋が形成されることにより、くじ用紙を透かしてくじ情報を盗み読む等の不正を防止することができる。
しかも、くじ情報が表示された単位紙片面と重合される単位紙片に、くじ情報の表示領域を見開くための見開用切り込みが形成されることにより、くじ情報を見る際により正確に見開くことができるという効果がある。
【図面の簡単な説明】
【図１】本発明に用いるくじ用紙の第１実施形態の平面図である。
【図２】図１のＡ−Ａ線断面図である。
【図３】本発明に係るくじ類の第１実施形態の断面図である。
【図４】図３に示したくじ類を切り離し予定線から切り離した状態を示す断面図である。
【図５】本発明に係る第１実施形態のくじ類を開封した状態を示す断面図である。
【図６】本発明に係る第１実施形態のくじ類を開封した状態を示す斜視図である。
【図７】本発明に用いるくじ用紙の第２実施形態の平面図である。
【図８】図７のＢ−Ｂ線断面図である。
【図９】本発明に係るくじ類の第２実施形態の斜視図である。
【図１０】本発明に係る第２実施形態のくじ類を開封した状態を示す斜視図である。
【符号の説明】
１，１１  くじ用紙
１ａ，１ｂ，１ｃ，１ｄ，１ｅ  単位用紙
２，１２，１３  折り畳み予定線
３，１４  剥離可能であり再接着困難な接着剤層
４，２４，２５  剥離不能な強接着層
５ａ，５ｂ，１６，１７，１８  切り離し予定線
６，２２  くじ情報
７，１９  不透明印刷膜
８，９，２０，２１  見開用切り込み
１５  接着剤層
２３  くじ名
【図１】
0004372925.tif 000002
【図２】
0004372925.tif 000003
【図３】
0004372925.tif 000004
【図４】
0004372925.tif 000005
【図５】
0004372925.tif 000006
【図６】
0004372925.tif 000007
【図７】
0004372925.tif 000008
【図８】
0004372925.tif 000009
【図９】
0004372925.tif 000010
【図１０】
0004372925.tif 000011